【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
プロセスプラントを制御するためのユーザインターフェースセッションを開始するサーバであって、
前記プロセスプラントを制御するためのプロセス制御ネットワークを介して通信するように構成されるネットワークインターフェースと、
前記ネットワークインターフェースに通信可能に結合されるプロセッサと、および
前記プロセッサに通信可能に結合されるメモリデバイスであり、前記プロセッサに、
前記プロセスプラントを制御するためのユーザインターフェースセッションを第１のクライアントデバイスで開始することに関するセッション要求を、ネットワークインターフェースを介して受信させ、
前記セッション要求に関連する目標セッションを識別させ、
前記セッション要求に関連するデバイスタイプを判定させ、
前記デバイスタイプ及び前記識別した目標セッションに従ってグラフィカルユーザインターフェース（ＧＵＩ）構成を識別させ、
前記識別したＧＵＩ構成に従って新しいセッションを構成させ、および
前記第１のクライアントデバイスがセッションデータを受信し、前記受信したセッションデータ及び前記識別したＧＵＩ構成に従って前記プロセスプラントの制御を容易にする情報を表示し得るように、前記ネットワークインターフェースを介して、前記新しいセッションに関連するセッションデータを伝送させる
ように前記プロセッサによって実行可能な機械可読命令を備える、メモリデバイスと
を備えるサーバ。
【請求項２】
前記セッション要求に関連するデバイスタイプを判定することが、
前記ネットワークインターフェースを介して、前記セッション要求に関連するユーザ識別子を受信することと、および
前記受信したユーザ識別子に基づいて前記デバイスタイプを識別することと
を含む、請求項１に記載のサーバ。
【請求項３】
前記セッション要求に関連するデバイスタイプを判定することが、前記デバイスタイプとしてモバイルデバイスを識別することを含む、請求項１又は請求項２に記載のサーバ。
【請求項４】
前記識別したＧＵＩ構成に従って新しいセッションを構成することが、前記セッション要求に関連するコンテキストを識別することを含む、請求項１〜請求項３の何れか１項に記載のサーバ。
【請求項５】
前記セッション要求に関連するコンテキストを識別することが、前記ネットワークインターフェースを介して受信した情報に基づいて、
（ａ）前記プロセスプラントにおける前記第１のクライアントデバイスの場所、
（ｂ）前記セッション要求に関連するユーザタイプ又はユーザ識別子、
（ｃ）前記第１のクライアントデバイスに関連するユーザタイプ又はユーザ識別子、
（ｄ）前記第１のクライアントデバイスから所定の距離内の１つ以上のプロセス制御デバイス、
（ｅ）前記目標セッションに関連する第２のユーザインターフェースデバイス上で行われている機能、及び
（ｆ）前記目標セッションに関連する第２のユーザインターフェースデバイスに関連するユーザ識別子、
のうちの１つ以上を識別することを含む、請求項４に記載のサーバ。
【請求項６】
プロセスプラントの制御を容易にするクライアントデバイスであって、
入力インターフェースと、
前記入力インターフェースに通信可能に結合されるプロセッサと、
前記プロセッサに通信可能に結合されるディスプレイと、
前記プロセッサに通信可能に結合され、前記プロセスプラントを制御するためのプロセス制御ネットワークを介して通信するように構成される、ネットワークインターフェースと、並びに
前記プロセッサに通信可能に結合されるメモリデバイスであり、前記プロセッサに、
前記入力インターフェースを介して検出されるユーザ入力に従って、ユーザインターフェースセッションを開始することに関するセッション要求を生成させ、
前記ネットワークインターフェースを介して前記セッション要求を伝送させ、
前記ネットワークインターフェースを介して、前記セッション要求に基づいて開始される新しいセッションに関連するセッションデータを受信させ、
前記セッションデータに基づいて前記プロセスプラントの制御を容易にする情報を識別させ、および
前記ディスプレイで提供されるグラフィカルユーザインターフェース（ＧＵＩ）を介して、前記プロセスプラントの制御を容易にする前記識別した情報を表示させる
前記プロセッサによって実行可能な機械可読命令と
を備える、メモリデバイスと
を備えるデバイス。
【請求項７】
前記メモリデバイスが、前記プロセッサに、前記ネットワークインターフェースを介して前記クライアントデバイスに関するデバイスタイプを伝送させる命令をさらに含む、請求項６に記載のクライアントデバイス。
【請求項８】
前記メモリデバイスが、前記プロセッサに、前記ネットワークインターフェースを介して目標セッションを伝送させる命令をさらに含む、請求項６又は請求項７に記載のクライアントデバイス。
【請求項９】
前記プロセスプラントの制御を容易にする情報を識別することが、前記セッションデータによって指定されるプロセス情報を識別することを含む、請求項６〜請求項８の何れか１項に記載のクライアントデバイス。
【請求項１０】
前記プロセスプラントの制御を容易にする情報を識別することが、前記セッションデータによって指定されるプロセスエンティティに基づいてプロセス情報を検索することを含む、請求項６〜請求項９の何れか１項に記載のクライアントデバイス。
【請求項１１】
前記メモリデバイスが、前記プロセッサに、前記ネットワークインターフェースを介して、前記クライアントデバイスに関するコンテキストをサーバに知らせる信号を伝送させる命令をさらに含む、請求項６〜請求項８の何れか１項に記載のクライアントデバイス。
【請求項１２】
前記コンテキストが、
（ａ）前記プロセスプラントにおけるデバイスの場所、
（ｂ）前記セッション要求に関連するユーザタイプ又はユーザ識別子、
（ｃ）前記デバイスに関連するユーザタイプ又はユーザ識別子、
（ｄ）前記デバイスから所定の距離内の１つ以上のプロセス制御デバイス、
（ｅ）前記セッションデータが以前のセッションに基づいて識別された場合の、前記以前のセッションに関連するユーザインターフェースデバイス上で行われている機能、及び
（ｆ）前記セッションデータが以前のセッションに基づいて識別された場合の、前記以前のセッションに関連するユーザインターフェースデバイスに関連するユーザ識別子
のうちの１つ以上を識別する、請求項１１に記載のクライアントデバイス。
【請求項１３】
プロセスプラントを制御するための第１のクライアントデバイス上でユーザインターフェースセッションを開始する方法であって、
第１のクライアントデバイスからセッション要求を受信することと、
前記セッション要求に関連するデバイスタイプを判定することと、
前記デバイスタイプに従ってグラフィカルユーザインターフェース構成を識別することと、
前記セッション要求に関連する目標セッションを識別することと、
前記識別したグラフィカルユーザインターフェース構成及び前記識別した目標セッションに従って前記第１のクライアントデバイスに関する新しいセッションを構成することと、
前記第１のクライアントデバイスに前記新しいセッションに関連するデータを伝送することと
を含む方法。
【請求項１４】
前記第１のクライアントデバイスからセッション要求を受信することが、（１）目標セッション識別子、及び（２）前記デバイスタイプを受信することを含む、請求項１３に記載の方法。
【請求項１５】
前記識別したグラフィカルユーザインターフェース構成及び前記識別した目標セッションに従って前記第１のクライアントデバイスに関する新しいセッションを構成することが、
セッションデータとして、プロセス領域、機器リソース、又は目標セッションで監視もしくは制御されるプロセスデータの組、のうちの１つ以上を識別することと、および
前記識別したグラフィカルユーザインターフェース構成に関連する制約に従って、前記識別したセッションデータを監視又は制御するために新しいセッションを構成することとを含む、請求項１３又は請求項１４に記載の方法。
【請求項１６】
前記識別したグラフィカルユーザインターフェース構成及び前記識別した目標セッションに従って前記第１のクライアントデバイスに関する新しいセッションを構成することが、前記セッション要求に関連するコンテキストデータを識別することを含む、請求項１３〜請求項１５の何れか１項に記載の方法。
【請求項１７】
前記セッション要求に関連するコンテキストデータを識別することが、
（ａ）前記プロセスプラントにおける前記第１のクライアントデバイスの場所を識別すること、
（ｂ）前記セッション要求に関連するユーザタイプ又はユーザ識別子を識別すること、
（ｃ）前記第１のクライアントデバイスに関連するユーザタイプ又はユーザ識別子を識別すること、
（ｄ）前記第１のクライアントデバイスから所定の距離内の１つ以上のプロセス制御デバイスを識別すること、
（ｅ）前記目標セッションに関連する第２のユーザインターフェースデバイス上で行われている機能を識別すること、又は
（ｆ）前記目標セッションに関連する第２のユーザインターフェースデバイスに関連するユーザ識別子を識別すること
を含む、請求項１３〜請求項１６の何れか１項に記載の方法。